(57)【要約】【課題】３次元映像表示非対応の表示装置の応答速度が遅い場合であっても、表示装置の映像をユーザーに適切に立体視させることが可能な立体映像表示制御装置を実現する。【解決手段】立体映像表示制御装置１００は、マーカーを表示装置３００に出力する映像出力部１５０と、表示されたマーカーが発する光を感知する光センサ１９０からのパルス信号を検出するマーカー信号検出部１４０と、パルス信号の立ち上がり時間または立ち下がり時間が所定の閾値以上であるか否かを判定するシステム制御部１７０と、立体映像視聴用メガネ２００の左右のシャッターの一方を閉じて他方を開くタイミングを、右目用映像または左目用映像が表示装置３００に表示されるタイミングに同期させるシャッター制御信号生成部１８０と、を備えている。シャッター制御信号生成部１８０は、所定の閾値以上であると判定された場合には、他方のシャッターを開くタイミングを遅くする。【選択図】図１
2011250075.tif 000002
【特許請求の範囲】
【請求項１】
マーカーを表示装置に出力するマーカー出力手段と、
上記マーカー出力手段により出力され、上記表示装置に表示された上記マーカーが発する光の明るさを感知する受光部からのパルス信号を検出するパルス信号検出手段と、
上記パルス信号検出手段が検出した上記パルス信号の立ち上がりに要する立ち上がり時間または立ち下がりに要する立ち下がり時間が第１の閾値以上であるか否かを判定するパルス信号判定手段と、
視差を持つ第１の映像および第２の映像を交互に上記表示装置に出力する映像出力手段と、
３Ｄグラスの左右のシャッターの一方を閉じて他方を開くタイミングを、上記第１の映像または上記第２の映像が上記表示装置に表示されるタイミングに同期させるシャッター制御手段と、を備え、
上記シャッター制御手段は、上記パルス信号判定手段が上記第１の閾値以上であると判定した場合には、上記一方のシャッターを閉じるタイミングよりも上記他方のシャッターを開くタイミングを遅くすることを特徴とする立体映像表示制御装置。
【請求項２】
上記映像出力手段が上記表示装置に出力する上記第１の映像を構成するいずれかの画像である第１の画像と、上記第１の画像を出力してから一定時間が経過した後に上記映像出力手段が出力する第２の画像であって、上記第１の映像または上記第２の映像を構成するいずれかの画像である第２の画像と、を記憶部に記録する画像記録手段と、
上記画像記録手段により上記記憶部に記録された第１の画像に含まれる画素の画素値と、該画素に対応する、上記記憶部に記録された第２の画像に含まれる画素の画素値と、の差が第２の閾値以上であるような画素が一定数以上存在するか否かを判定する出力映像判定手段と、をさらに備え、
当該画素が一定数以上存在すると上記出力映像判定手段が判定した場合に、上記シャッター制御手段は、上記一方のシャッターを閉じるタイミングよりも上記他方のシャッターを開くタイミングを遅くすることを特徴とする請求項１に記載の立体映像表示制御装置。
【請求項３】
上記パルス信号判定手段は、上記パルス信号検出手段が検出した上記パルス信号について、上記立ち上がり時間および上記立ち下がり時間のうち、他方に比べ時間が長い一方の値が第１の閾値以上であるか否かを判定し、
上記一方が上記立ち上がり時間である場合に、上記出力映像判定手段は、上記第２の画像に含まれる画素の画素値が、該画素に対応する、上記第１の画像に含まれる画素の画素値よりも上記第２の閾値以上大きい画素が一定数以上存在するか否かを判定し、
当該画素が一定数以上存在すると上記出力映像判定手段が判定した場合に、上記シャッター制御手段は、上記一方のシャッターを閉じるタイミングよりも上記他方のシャッターを開くタイミングを遅くすることを特徴とする請求項２に記載の立体映像表示制御装置。
【請求項４】
上記パルス信号判定手段は、上記パルス信号検出手段が検出した上記パルス信号について、上記立ち上がり時間および上記立ち下がり時間のうち、他方に比べ時間が長い一方の値が第１の閾値以上であるか否かを判定し、
上記一方が上記立ち下がり時間である場合に、上記出力映像判定手段は、上記第２の画像に含まれる画素の画素値が、該画素に対応する、上記第１の画像に含まれる画素の画素値よりも上記第２の閾値以上小さい画素が一定数以上存在するか否かを判定し、
当該画素が一定数以上存在すると上記出力映像判定手段が判定した場合に、上記シャッター制御手段は、上記一方のシャッターを閉じるタイミングよりも上記他方のシャッターを開くタイミングを遅くすることを特徴とする請求項２に記載の立体映像表示制御装置。
【請求項５】
上記第１の映像および上記第２の映像からなる映像コンテンツの入力を外部の再生装置から受け付ける映像入力手段と、
上記映像コンテンツに対して上記出力映像判定手段による判定が行われた否かを判定する判定手段と、
上記判定手段により否と判定された場合に、上記出力映像判定手段による判定結果と、上記映像コンテンツ中の上記第２の画像に付与されている再生時刻と、上記映像コンテンツを示す情報と、を関連づけて記憶部に記録する判定結果記録手段と、を備え、
上記シャッター制御手段は、上記出力映像判定手段による判定が行われたと上記判定手段により判定された場合には、上記記憶部に記録されている上記判定結果と上記再生時刻とに基づいて、上記一方のシャッターを閉じるタイミングよりも上記他方のシャッターを開くタイミングを遅くするか否かを決定することを特徴とする請求項２から４のいずれか１項に記載の立体映像表示制御装置。
【請求項６】
上記シャッター制御手段が上記他方のシャッターを開くタイミングを遅くする場合には、上記映像出力手段は、上記表示装置に表示されたときに明るくなるように、上記表示装置に供給する映像を調整することを特徴とする請求項１から５のいずれか１項に記載の立体映像表示制御装置。
【請求項７】
上記シャッター制御手段が上記他方のシャッターを開くタイミングを遅くする場合に、上記表示装置に表示される映像の輝度を上げさせるコマンドを上記表示装置に伝送するコマンド伝送手段をさらに備えていることを特徴とする請求項１から５のいずれか１項に記載の立体映像表示制御装置。
【請求項８】
上記映像出力手段が映像コンテンツを出力する上記表示装置は、設定されたジャンルに応じて表示する映像の輝度を調整するものであり、
上記シャッター制御手段が上記他方のシャッターを開くタイミングを遅くする場合であり、かつ、上記映像コンテンツのジャンルが上記表示装置に設定されたときに他のジャンルに比べ上記映像の輝度を低くするものである場合には、上記映像コンテンツのジャンル以外のジャンルを示すジャンル情報を上記表示装置に伝送するジャンル情報伝送手段をさらに備えていることを特徴とする請求項１から５のいずれか１項に記載の立体映像表示制御装置。
【請求項９】
上記映像出力手段が映像コンテンツを出力する上記表示装置は、周囲の明るさを感知する受光部を備えると共に、表示する映像の輝度を上記受光部が感知した明るさに応じて調整するものであり、
上記シャッター制御手段が上記他方のシャッターを開くタイミングを遅くする場合に、発光部を発光させる発光制御手段をさらに備えていることを特徴とする請求項１から５のいずれか１項に記載の立体映像表示制御装置。
【請求項１０】
上記シャッター制御手段が、上記一方のシャッターを閉じてから上記他方のシャッターを開くまでの時間は、上記立ち上がり時間または上記立ち下がり時間であることを特徴とする請求項１から９のいずれか１項に記載の立体映像表示制御装置。
【請求項１１】
視差を持つ第１の映像および第２の映像を交互に表示装置に出力する映像出力手段を備えた立体映像表示制御装置の制御方法であって、
マーカーを上記表示装置に出力するマーカー出力工程と、
上記マーカー出力工程にて出力され、上記表示装置に表示された上記マーカーが発する光の明るさを感知する受光部からのパルス信号を検出するパルス信号検出工程と、
上記パルス信号検出工程にて検出された上記パルス信号の立ち上がりに要する立ち上がり時間または立ち下がりに要する立ち下がり時間が第１の閾値以上であるか否かを判定するパルス信号判定工程と、
上記映像出力手段が、上記第１の映像または上記第２の映像を表示装置に出力する映像出力工程と、
３Ｄグラスの左右のシャッターの一方を閉じて他方を開くタイミングを、上記映像出力工程にて出力された映像が上記表示装置に表示されるタイミングに同期させるシャッター制御工程と、を含み、
上記パルス信号判定工程にて上記第１の閾値以上であると判定された場合には、上記シャッター制御工程にて、上記一方のシャッターを閉じるタイミングよりも上記他方のシャッターを開くタイミングを遅くすることを特徴とする制御方法。
【請求項１２】
請求項１から１０のいずれか１項に記載の立体映像表示制御装置を動作させるためのプログラムであって、コンピュータを上記の各手段として機能させることを特徴とするプログラム。
【請求項１３】
請求項１２に記載のプログラムを記録したコンピュータ読み取り可能な記録媒体。
【発明の詳細な説明】
【技術分野】
【０００１】
本発明は、表示装置に表示される映像をユーザーに立体視させるための立体映像表示制御装置に関する。
【背景技術】
【０００２】
最近、３Ｄ映画が公開されたり、３次元映像対応コンテンツがテレビ放送されたりするなど、３次元映像表示分野に対する注目が集まっている。また、これに伴い、３次元映像表示対応のテレビが発売されたり、ＢＤ(Blu-ray Disk)の３次元映像コンテンツ対応の規格化が進められたりするなど、家庭でも３次元映像を楽しめる環境が整いつつある。
【０００３】
３次元映像表示が特に注目されているのは最近のことであるが、従来から、３次元映像表示に関する様々な研究がなされている。
【０００４】
例えば、特許文献１には、左右画像のいずれか一方に付された同期信号用マークを１つのセンサが検出すると、１画面表示時間より長く２画面表示時間より短い時間継続して制御信号を発生させ、制御信号が消滅すると３Ｄグラスの左右のシャッターを切り替えるシャッター制御信号発生装置が開示されている。特許文献１のシャッター制御信号発生装置は、従来と異なり、１つのセンサのみで３Ｄグラスの左右のシャッターを切り替え、表示装置に表示された映像をユーザーに立体視させることができる。
【０００５】
また、特許文献２には、目測で測定でき、一定の精度が得られる、クロストーク量の測定能力を有する立体表示クロストーク量測定装置が開示されている。
【先行技術文献】
【特許文献】
【０００６】
【特許文献１】特開平４−１５９８９５号公報（平成４年６月３日公開）
【特許文献２】特開２００１−１８６５４９号公報（平成１３年７月６日公開）
【発明の概要】
【発明が解決しようとする課題】
【０００７】
しかしながら、上記特許文献１の構成では、３次元映像コンテンツを家庭で楽しむためには、３次元映像コンテンツに対応した表示装置（以下、「３Ｄ対応表示装置」と呼ぶ）や再生装置（以下、「３Ｄ対応再生装置」と呼ぶ）が必要となり、３Ｄ対応表示装置を所有していないユーザーにとっては、表示装置を新たに入手しなければならないという問題がある。
【０００８】
また、特許文献１の構成は、同期信号用マークがセンサにより検出され、生成される検出波形に、表示装置の応答速度の遅さによる劣化が生じていないことを前提としている。そのため、特許文献１の構成を実際の表示装置に適用した場合にクロストークが発生し、表示装置の映像をユーザーに適切に立体視させることができないという問題がある。
【０００９】
また、特許文献２の構成も、上記各問題を解決するものではない。
【００１０】
本発明は上記の問題についてなされたものであり、その主な目的は、映像を表示する表示装置が３次元映像表示非対応であり、かつ、表示装置の応答速度が遅い場合であっても、表示装置の映像をユーザーに適切に立体視させることができる立体映像表示制御装置を実現することにある。
【課題を解決するための手段】
【００１１】
本発明に係る立体映像表示制御装置では、上記課題を解決するために、マーカーを表示装置に出力するマーカー出力手段と、上記マーカー出力手段により出力され、上記表示装置に表示された上記マーカーが発する光の明るさを感知する受光部からのパルス信号を検出するパルス信号検出手段と、上記パルス信号検出手段が検出した上記パルス信号の立ち上がりに要する立ち上がり時間または立ち下がりに要する立ち下がり時間が第１の閾値以上であるか否かを判定するパルス信号判定手段と、視差を持つ第１の映像および第２の映像を交互に上記表示装置に出力する映像出力手段と、３Ｄグラスの左右のシャッターの一方を閉じて他方を開くタイミングを、上記第１の映像または上記第２の映像が上記表示装置に表示されるタイミングに同期させるシャッター制御手段と、を備え、上記シャッター制御手段は、上記パルス信号判定手段が上記第１の閾値以上であると判定した場合には、上記一方のシャッターを閉じるタイミングよりも上記他方のシャッターを開くタイミングを遅くすることを特徴としている。
【００１２】
上記の構成によれば、立体映像表示制御装置は、３Ｄグラスの左右のシャッターの一方を閉じて他方を開くタイミングを、第１の映像または第２の映像が上記表示装置に表示されるタイミングに同期させるが、検出したパルス信号の立ち上がり時間または立ち上がり時間が第１の閾値以上ある場合に、３Ｄグラスの左右のシャッターの他方を開くタイミングのみを遅くする。ここで、パルス信号は、表示装置に表示されたマーカーが発する光の明るさを示している。そして、パルス信号の立ち上がり時間、立ち下がり時間は、それぞれ、マーカーが表示されてからマーカーが完全に表示されるまでの時間、マーカーが消え始めてからマーカーが完全に消えるまでの時間を示しており、これらは、表示装置の応答速度を示している。
【００１３】
従って、立体映像表示制御装置は、第１の映像および第２の映像の一方が完全に消去され、他方が完全に表示される（応答速度が示す時間が経過する）までに発生する、第１の映像および第２の映像のクロストークをユーザーが視認する時間を減らすことができる。
【００１４】
これにより、立体映像表示制御装置は、映像を表示する表示装置が３次元映像表示非対応であり、かつ、表示装置の応答速度が遅い場合であっても、表示装置の映像をユーザーに適切に立体視させることができる。
【００１５】
本発明に係る制御方法は、上記課題を解決するために、視差を持つ第１の映像および第２の映像を交互に表示装置に出力する映像出力手段を備えた立体映像表示制御装置の制御方法であって、マーカーを上記表示装置に出力するマーカー出力工程と、上記マーカー出力工程にて出力され、上記表示装置に表示された上記マーカーが発する光の明るさを感知する受光部からのパルス信号を検出するパルス信号検出工程と、上記パルス信号検出工程にて検出された上記パルス信号の立ち上がりに要する立ち上がり時間または立ち下がりに要する立ち下がり時間が第１の閾値以上であるか否かを判定するパルス信号判定工程と、上記映像出力手段が、上記第１の映像または上記第２の映像を表示装置に出力する映像出力工程と、３Ｄグラスの左右のシャッターの一方を閉じて他方を開くタイミングを、上記映像出力工程にて出力された映像が上記表示装置に表示されるタイミングに同期させるシャッター制御工程と、を含み、上記パルス信号判定工程にて上記第１の閾値以上であると判定された場合には、上記シャッター制御工程にて、上記一方のシャッターを閉じるタイミングよりも上記他方のシャッターを開くタイミングを遅くすることを特徴としている。
【００１６】
上記の構成によれば、本発明に係る制御方法は、本発明に係る立体映像表示制御装置と同様の作用効果を奏する。
【００１７】
本発明の立体映像表示制御装置は、上記映像出力手段が上記表示装置に出力する上記第１の映像を構成するいずれかの画像である第１の画像と、上記第１の画像を出力してから一定時間が経過した後に上記映像出力手段が出力する第２の画像であって、上記第１の映像または上記第２の映像を構成するいずれかの画像である第２の画像と、を記憶部に記録する画像記録手段と、上記画像記録手段により上記記憶部に記録された第１の画像に含まれる画素の画素値と、該画素に対応する、上記記憶部に記録された第２の画像に含まれる画素の画素値と、の差が第２の閾値以上であるような画素が一定数以上存在するか否かを判定する出力映像判定手段と、をさらに備え、当該画素が一定数以上存在すると上記出力映像判定手段が判定した場合に、上記シャッター制御手段は、上記一方のシャッターを閉じるタイミングよりも上記他方のシャッターを開くタイミングを遅くすることが望ましい。
【００１８】
上記の構成によれば、立体映像表示制御装置は、出力する映像に含まれる第２の画像が第１の画像から大きく変化した場合、すなわち、応答速度が遅いことによるクロストークの影響を受けやすい映像を出力する場合にのみ、上記一方のシャッターを閉じるタイミングよりも他方のシャッターを開くタイミングを遅くする。
【００１９】
これにより、立体映像表示制御装置は、クロストークの影響を受けにくい映像を表示するにも関わらず無駄に他方のシャッターを開くタイミングを遅くすることによりかえってユーザーに違和感を与える、といったことを防ぐことができるというさらなる効果を奏する。
【００２０】
本発明の立体映像表示制御装置は、上記パルス信号判定手段が、上記パルス信号検出手段が検出した上記パルス信号について、上記立ち上がり時間および上記立ち下がり時間のうち、他方に比べ時間が長い一方の値が第１の閾値以上であるか否かを判定し、上記一方が上記立ち上がり時間である場合に、上記出力映像判定手段は、上記第２の画像に含まれる画素の画素値が、該画素に対応する、上記第１の画像に含まれる画素の画素値よりも上記第２の閾値以上大きい画素が一定数以上存在するか否かを判定し、当該画素が一定数以上存在すると上記出力映像判定手段が判定した場合に、上記シャッター制御手段は、上記一方のシャッターを閉じるタイミングよりも上記他方のシャッターを開くタイミングを遅くすることが望ましい。
【００２１】
上記の構成によれば、立体映像表示制御装置は、輝度値を上昇させる際の応答速度が遅い表示装置であっても、表示装置の映像をユーザーに適切に立体視させることができる。
【００２２】
また、本発明の立体映像表示制御装置は、上記パルス信号判定手段は、上記パルス信号検出手段が検出した上記パルス信号について、上記立ち上がり時間および上記立ち下がり時間のうち、他方に比べ時間が長い一方の値が第１の閾値以上であるか否かを判定し、上記一方が上記立ち下がり時間である場合に、上記出力映像判定手段は、上記第２の画像に含まれる画素の画素値が、該画素に対応する、上記第１の画像に含まれる画素の画素値よりも上記第２の閾値以上小さい画素が一定数以上存在するか否かを判定し、当該画素が一定数以上存在すると上記出力映像判定手段が判定した場合に、上記シャッター制御手段は、上記一方のシャッターを閉じるタイミングよりも上記他方のシャッターを開くタイミングを遅くすることが望ましい。
【００２３】
上記の構成によれば、立体映像表示制御装置は、輝度値を下降させる際の応答速度が遅い表示装置であっても、表示装置の映像をユーザーに適切に立体視させることができる。
【００２４】
本発明の立体映像表示制御装置は、上記第１の映像および上記第２の映像からなる映像コンテンツの入力を外部の再生装置から受け付ける映像入力手段と、上記映像コンテンツに対して上記出力映像判定手段による判定が行われた否かを判定する判定手段と、上記判定手段により否と判定された場合に、上記出力映像判定手段による判定結果と、上記映像コンテンツ中の上記第２の画像に付与されている再生時刻と、上記映像コンテンツを示す情報と、を関連づけて記憶部に記録する判定結果記録手段と、を備え、上記シャッター制御手段は、上記出力映像判定手段による判定が行われたと上記判定手段により判定された場合には、上記記憶部に記録されている上記判定結果と上記再生時刻とに基づいて、上記一方のシャッターを閉じるタイミングよりも上記他方のシャッターを開くタイミングを遅くするか否かを決定することが望ましい。
【００２５】
上記の構成によれば、立体映像表示制御装置は、映像コンテンツに対して一度出力映像判定手段による判定を行えば、その映像コンテンツを再度表示装置に出力する場合であっても、再度判定を行うことなく、記憶部に記録されている判定結果と再生時刻とに基づいて、上記一方のシャッターを閉じるタイミングよりも他方のシャッターを開くタイミングを遅くするか否かを決定することができる。
【００２６】
本発明の立体映像表示制御装置は、上記シャッター制御手段が上記他方のシャッターを開くタイミングを遅くする場合には、上記映像出力手段が、上記表示装置に表示されたときに明るくなるように、上記表示装置に供給する映像を調整することが望ましい。
【００２７】
上記の構成によれば、立体映像表示制御装置は、一方のシャッターを閉じるタイミングよりも他方のシャッターを開くタイミングを遅くすることにより生じる明るさ不足を、映像が表示装置に表示されたときに明るくなるように表示装置に供給する映像を調整することにより、より違和感のない立体映像をユーザーに見せることができる。
【００２８】
本発明の立体映像表示制御装置は、上記シャッター制御手段が上記他方のシャッターを開くタイミングを遅くする場合に、上記表示装置に表示される映像の輝度を上げさせるコマンドを上記表示装置に伝送するコマンド伝送手段をさらに備えていることが望ましい。
【００２９】
また、本発明の立体映像表示制御装置は、上記映像出力手段が映像コンテンツを出力する上記表示装置は、設定されたジャンルに応じて表示する映像の輝度を調整するものであり、上記シャッター制御手段が上記他方のシャッターを開くタイミングを遅くする場合であり、かつ、上記映像コンテンツのジャンルが上記表示装置に設定されたときに他のジャンルに比べ上記映像の輝度を低くするものである場合には、上記映像コンテンツのジャンル以外のジャンルを示すジャンル情報を上記表示装置に伝送するジャンル情報伝送手段をさらに備えていることが望ましい。
【００３０】
さらに、本発明の立体映像表示制御装置は、上記映像出力手段が映像コンテンツを出力する上記表示装置は、周囲の明るさを感知する受光部を備えると共に、表示する映像の輝度を上記受光部が感知した明るさに応じて調整するものであり、上記シャッター制御手段が上記他方のシャッターを開くタイミングを遅くする場合に、発光部を発光させる発光制御手段をさらに備えていることが望ましい。
【００３１】
上記の各構成によれば、立体映像表示制御装置は、自身で輝度を上昇させる画像処理を行う必要がないので、違和感のない立体映像を少ない処理負荷でユーザーに見せることができるというさらなる効果を奏する。
【００３２】
本発明の立体映像表示制御装置は、上記シャッター制御手段が上記一方のシャッターを閉じてから上記他方のシャッターを開くまでの時間が、上記立ち上がり時間または上記立ち下がり時間であることが望ましい。
【００３３】
上記の構成によれば、第１の映像および第２の映像のクロストークをユーザーに視認させないようにすることができるというさらなる効果を奏する。
【００３４】
また、本発明に係る立体映像表示制御装置を動作させるためのプログラムであって、コンピュータを上記の各手段として機能させることを特徴とするプログラムおよびそれらのプログラムを記録したコンピュータ読み取り可能な記録媒体も本発明の範疇に含まれる。
【発明の効果】
【００３５】
以上説明したように、本発明に係る立体映像表示制御装置は、映像を表示する表示装置が３次元映像表示非対応であり、かつ、表示装置の応答速度が遅い場合であっても、表示装置の映像をユーザーに適切に立体視させることができるという効果を奏する。
【図面の簡単な説明】
【００３６】
【図１】実施形態に係る立体映像表示制御装置を備えた立体映像表示システムの要部構成を示すブロック図である。
【図２】検出されたマーカー信号に波形歪みが生じていない場合において立体映像視聴用メガネに供給されるシャッター開閉信号の波形を時間軸上で表わしたグラフである。
【図３】波形歪みが生じたマーカー信号の波形を時間軸上で表わしたグラフである。
【図４】検出されたマーカー信号に波形歪みが生じた場合に一定条件の下で立体映像視聴用メガネに供給されるシャッター開閉信号の波形を時間軸上で表わしたグラフである。
【図５】映像入力信号の振幅と映像出力信号の振幅との関係を示したグラフであり、（ａ）は振幅の調整を行わない場合のものであり、（ｂ）は振幅の調整を行う場合のものである。
【図６】映像入力信号の振幅と映像出力信号の振幅との関係を示したグラフであり、（ａ）（ｂ）は、ともに振幅の調整を行う場合のものである。
【図７】検出されたマーカー信号に波形歪みが生じた場合に、シャッター開閉信号を調整してシャッター開閉のタイミングを遅らせるか否かを判定する動作の一例を示すフローチャートである。
【図８】検出されたマーカー信号に波形歪みが生じた場合に、シャッター開閉信号を調整してシャッター開閉のタイミングを遅らせるか否かを判定する動作の別の一例を示すフローチャートである。
【図９】検出されたマーカー信号に波形歪みが生じた場合に、シャッター開閉信号を調整してシャッター開閉のタイミングを遅らせるか否かを判定する動作のさらに別の一例を示すフローチャートである。
【図１０】変形例に係る立体映像表示システムの要部構成を示すブロック図である。
【図１１】実施形態に係る立体映像表示制御装置が、右目用映像および左目用映像を周期的に表示装置に出力するとともに、立体映像視聴用メガネの左右のシャッターを周期的に切り替える動作を示すフローチャート図である。
【発明を実施するための形態】
【００３７】
本発明の一実施形態に係る立体映像表示制御装置について図１〜図９を参照しつつ以下に説明する。図１は、立体映像表示制御装置、光センサ、立体映像視聴用メガネ、表示装置からなる立体映像表示システムの要部構成を示すブロック図である。
【００３８】
図１に示すように、立体映像表示システムは、立体映像表示制御装置１００、光センサ１９０、立体映像視聴用メガネ２００、表示装置３００からなるシステムである。
【００３９】
以下、本発明の一実施形態に係る立体映像表示制御装置１００の構成および動作、並びに、光センサ１９０、立体映像視聴用メガネ２００、および表示装置３００の動作について説明する。
【００４０】
＜立体映像表示制御装置１００の構成＞
本実施形態に係る立体映像表示制御装置１００の構成について、図１を参照しつつ以下に説明する。
【００４１】
図１に示すように、立体映像表示制御装置１００は、映像入力部１１０、映像メモリ部１２０、信号処理部１３０、マーカー信号検出部１４０、映像出力部１５０、制御用メモリ部１６０、システム制御部１７０、シャッター制御信号生成部１８０を備えている。立体映像表示制御装置１００が備える上記各部材について、以下に説明する。
【００４２】
（映像入力部１１０）
映像入力部１１０は、図示しない３Ｄ対応再生装置から映像入力信号を受け付けるためのインターフェースである。
【００４３】
（映像メモリ部１２０）
映像メモリ部１２０には、映像入力部１１０からの映像入力信号で表わされる映像データが記録される。
【００４４】
（信号処理部１３０）
信号処理部１３０は、映像データを映像メモリ部１２０から読み出したり、映像メモリ部１２０に書き込んだりする。また、信号処理部１３０は、読み出した映像データに後述する振幅調整処理を施して映像出力部１５０に伝送する。
【００４５】
（マーカー信号検出部１４０）
マーカー信号検出部１４０は、光センサ１９０からのマーカー信号（パルス信号）を検出し、マーカーデータとして制御用メモリ部１６０に記録する。
【００４６】
（映像出力部１５０）
映像出力部１５０は、信号処理部１３０から伝送されてきた映像データを表わす映像出力信号を外部に供給するインターフェースである。
【００４７】
（制御用メモリ部１６０）
制御用メモリ部１６０には、マーカー信号を表わすマーカーデータが記録される。
【００４８】
（システム制御部１７０）
システム制御部１７０は、制御用メモリ部１６０からマーカーデータを読み出し、マーカー信号の検出波形に歪みが存在するか否かを判定する。そして、判定結果に応じたタイミングで、シャッター制御信号生成部１８０に対してシャッター開閉信号を生成するように指示する。また、システム制御部１７０は、右目用映像が表示装置３００に入力されるたびに、シャッター制御信号生成部１８０に対してシャッター開閉信号を生成するように指示する。
【００４９】
（シャッター制御信号生成部１８０）
シャッター制御信号生成部１８０は、システム制御部１７０からの指示に従い、立体映像視聴用メガネ２００の左右のシャッターの開閉を切り替えるためのシャッター開閉信号を生成して、立体映像視聴用メガネ２００に供給する。
【００５０】
＜表示装置３００＞
表示装置３００は、３Ｄ表示非対応の映像ディスプレイである。表示装置３００には、右目用映像と左目用映像とが交互に現れるように構成された表示映像の映像信号が外部から入力されるようになっている。そして、入力される表示映像のうちの左目用映像には、左目用映像を構成する左目用画像の一部にマーカーが付され、表示装置３００の表示画面に左目用映像が表示されてから一定時間の間、マーカーが表示画面の斜線で表わされた領域に表示されるようになっている。
【００５１】
＜光センサ１９０＞
光センサ１９０は、表示装置３００の表示画面の斜線で表わされた領域（マーカーが表示される領域）に近接して配置され、該領域から発せられる光を検出するようになっている。
【００５２】
＜立体映像視聴用メガネ２００＞
立体映像視聴用メガネ２００は、右目用レンズおよび左目用レンズにそれぞれシャッターが設けられ、外部からのシャッター切替信号を受け付けると、立体映像視聴用メガネ２００の右目用シャッターおよび左目用シャッターの開閉を切り替えるようになっている。
【００５３】
＜立体映像表示制御装置１００の動作＞
次に、立体映像表示制御装置１００の動作について、図１１を参照して以下に説明する。図１１は、外部の３Ｄ対応再生装置で再生される映像をユーザーに適切に立体視させるための動作を示したフローチャートである。より具体的には、図１１は、立体映像表示制御装置１００が、右目用映像および左目用映像を周期的に表示装置３００に出力するとともに、立体映像視聴用メガネ２００の左右のシャッターを周期的に切り替える動作を示すフローチャートである。
【００５４】
最初に、映像入力部１１０は、３Ｄ対応再生装置から入力される映像入力信号を受け付ける（Ｓ４１）。映像入力信号により表わされる映像は視差をもつ左目用画像および右目用画像で構成され、表示装置３００に表示した場合に左目用映像と右目用映像とが交互に表示されるようになっている。また、表示装置３００に表示される映像が右目用映像から左目用映像に切り替わったときにマーカーが表示されるように、入力される映像のうちの左目用映像を構成する少なくとも一部の画像にはマーカーが付された映像が立体映像表示制御装置１００に入力される。
【００５５】
次に、Ｓ４２において、信号処理部１３０は、映像メモリ部１２０に映像入力信号で表わされる映像を映像メモリ部１２０に記録する。信号処理部１３０は、映像メモリ部１２０に記録された映像に対して各種処理を施して、映像出力部１５０に供給する（Ｓ４３）。また、システム制御部１７０は、信号処理部１３０が映像出力部１５０に出力する映像が右目用映像に切り替わったか否かを判定し（Ｓ４４）、右目用映像に切り替わったと判定した場合には（Ｓ４４においてＹＥＳ）、後述する遅延時間分だけ遅いタイミングで、シャッター制御信号生成部１８０にシャッター制御信号を生成するよう指示する（Ｓ４５）。システム制御部１７０からの指示を受け付けると、シャッター制御信号生成部１８０は、立体映像視聴用メガネ２００に左目用シャッターを閉じさせるシャッター制御信号、および、右目用シャッターを開けさせるシャッター制御信号を、立体映像視聴用メガネ２００に供給して（Ｓ４６）、Ｓ４７に進む。
【００５６】
Ｓ４４において否であると判定された場合には、何もせずに、Ｓ４７に進む。
【００５７】
Ｓ４７において、映像出力部１５０は信号処理部１３０から供給された映像を映像出力信号として表示装置３００に出力する。
【００５８】
その後、Ｓ４８において、マーカー信号検出部１４０は、光センサ１９０からの照度を表わす信号を検出する。なお、前述したように、光センサ１９０は、表示装置３００の表示画面のマーカーが表示される領域に近接して配置されており、マーカーが表示される場合とそうでない場合とで異なる照度を検知することになる。すなわち、マーカー信号検出部１４０が受け付ける照度を表わす信号は、マーカーが表示されているか否かを示すマーカー信号(パルス信号)としての役割を果たす。
【００５９】
そして、Ｓ４９において、マーカー信号検出部１４０は、検出したマーカー信号が、パルス部分を表わす（すなわち、マーカーが表示されていることを示す）マーカー信号であるか否かを判定する。否と判定された場合（Ｓ４９においてＮＯ）、Ｓ４１に戻る。
【００６０】
一方、パルス部分を表わすマーカー信号であると判定された場合（Ｓ４９においてＹＥＳ）、マーカー信号検出部１４０は、当該マーカー信号を表わすマーカーデータが制御用メモリ部１６０にすでに記録されているか否かを判定する（Ｓ５０）。マーカーデータが記録されていないと判定された場合（Ｓ５０においてＮＯ）、Ｓ５１において、マーカー信号検出部１４０は、検出したマーカー信号（パルス部分）の波形を表わすマーカーデータを制御用メモリ部１６０に記録する。さらに、マーカー信号検出部１４０は、Ｓ４３において映像出力信号を表示装置３００に出力してから、Ｓ４９において検出したマーカー信号がパルス部分を表わすと判定したときまでの時間（以下、遅延時間と呼ぶ）を表わす遅延時間データを制御用メモリ部１６０に記録して（Ｓ５２）、Ｓ４１に戻る。
【００６１】
一方、すでにマーカーデータが記録されている場合、Ｓ５３に進む。
【００６２】
Ｓ５３において、システム制御部１７０は、制御用メモリ部１６０に記録されているマーカーデータを参照し、パルス部分の波形の立ち上がり部分に歪みがあるか否かを判定する。歪みがあると判定された場合（Ｓ５３においてＹＥＳ）、Ｓ５４において、システム制御部１７０は、遅延時間データが表わす遅延時間分と、パルス部分の波形歪みを考慮して算出した時間分と、だけ遅いタイミングで、シャッター制御信号生成部１８０にシャッター制御信号を生成するよう指示する。そして、Ｓ５５において、シャッター制御信号生成部１８０は、立体映像視聴用メガネ２００に右目用シャッターを閉じさせるシャッター制御信号、および、左目用シャッターを開けさせるシャッター制御信号を、立体映像視聴用メガネ２００に供給してＳ４１の処理に戻る。
【００６３】
一方、否と判定された場合（Ｓ５３においてＮＯ）にも、Ｓ５６において、システム制御部１７０は、遅延時間データが表わす遅延時間分だけ遅いタイミングで、シャッター制御信号生成部１８０にシャッター制御信号を生成するよう指示する。そして、Ｓ５７において、シャッター制御信号生成部１８０は、立体映像視聴用メガネ２００に右目用シャッターを閉じさせるシャッター制御信号、および、左目用シャッターを開けさせるシャッター制御信号を、立体映像視聴用メガネ２００に供給して、Ｓ４１の処理に戻る。
【００６４】
以上が、立体映像表示制御装置１００の動作の概略について示したが、本発明は、パルス部分の波形に歪みがある場合（Ｓ５３においてＹＥＳの場合）に、Ｓ５５において、シャッター制御信号生成部１８０が、左目用シャッターを開けさせるシャッター制御信号を立体映像視聴用メガネ２００に送信するタイミングを、右目用シャッターを閉じさせるシャッター制御信号を送信するタイミングよりも遅らせることを特徴としている。
【００６５】
このことについて、図２〜図４を参照して、以下に詳細に説明するが、その前にパルス部分の検出波形と表示装置３００の応答速度との関係について、述べておく。
【００６６】
図２は、パルス部分の検出波形に歪みが生じていない場合における、立体映像視聴用メガネ２００のシャッターの開閉のタイミングを示した図である。また、図３は、マーカー信号の検出波形の歪みを示したグラフである。
【００６７】
表示装置３００が画面に表示されている画像の次の画像を表示するために、次の画像の描画を開始してから、完全に次の画像が描画されるまでの時間を応答速度と呼ぶ。
【００６８】
表示装置３００の応答速度は、表示装置３００の性能に依存するものであり、一般的に古い表示装置ほど応答速度が長くなる。
【００６９】
応答速度が非常に短い場合には、マーカーも短い時間で完全に表示されるので、マーカーからの光を検知する光センサ１９０が出力する照度値も一瞬で上昇して定常値になる。すなわち、図２に示すように、照度値で表わされるマーカー信号の検出波形は、２値で表わされる理想的なパルス波形になる。
【００７０】
一方、応答速度が長い場合には、マーカーが完全に表示されるまでに時間がかかるので、マーカーからの光を検知する光センサ１９０が出力する照度値は、徐々に大きくなり、応答速度が示す時間の経過後に、光センサ１９０が出力する照度値が定常値になる。すなわち、図３に示すように、照度値で表わされるマーカー信号の検出波形は、応答速度ｔ1の分だけ、パルスの立ち上がりに時間がかかることになり、パルス部分の波形が歪むこととなる。
【００７１】
つまり、パルス部分の検出波形の歪みを解析することにより、表示装置３００の応答速度を求めることができることがわかる。
【００７２】
（パルス部分の検出波形に歪みに応じて、シャッターを開けさせるタイミングを遅らせる処理）
本実施形態では、パルスの立ち上がり時間ｔ1が所定の閾値Ｔ以上であるか否かにより、パルス部分の検出波形に歪みがあるか否かを判定する。
【００７３】
すなわち、立ち上がり時間ｔ1が閾値Ｔ（第１の閾値）未満であった場合には、パルス部分の検出波形に歪みがないと判定する。一方、立ち上がり時間ｔ1が閾値Ｔ以上であった場合には、パルス部分の検出波形に歪みがあると判定する。
【００７４】
そして、パルス部分の検出波形に歪みがないと判定された場合には、図２に示すように、シャッター制御信号生成部１８０は、右目用シャッターを開けさせるシャッター制御信号と、左目用シャッターを閉じさせるシャッター制御信号と、を同時に立体映像視聴用メガネ２００に送信する。これにより、立体映像視聴用メガネ２００は、左右のシャッターの開閉を同時に切り替えることになる。
【００７５】
一方、パルス部分の検出波形に歪みがあると判定された場合について、図４を参照して説明する。図４は、パルス部分の検出波形に歪みが生じていない場合と生じている場合とで、立体映像視聴用メガネ２００の左目用シャッターを開けるタイミングが異なることを示した図である。
【００７６】
パルス部分の検出波形に歪みがあると判定された場合、パルス部分の検出波形に歪みがないと判定された場合と同様に、右目用シャッターを閉じるシャッター制御信号を送信するタイミングは、パルス部分の検出波形に歪みがない場合における左目用シャッターを閉じるシャッター制御信号を送信するタイミングと同じタイミングである。
【００７７】
従って、図４からわかるように、シャッター制御信号生成部１８０は、右目用シャッターを閉じさせるシャッター制御信号を立体映像視聴用メガネ２００に送信してから、立ち上がり時間ｔ1だけ遅いタイミングで、左目用シャッターを開けさせるシャッター制御信号を立体映像視聴用メガネ２００に送信することになる。これにより、立体映像視聴用メガネ２００は、右目用シャッターを閉じてから立ち上がり時間ｔ1が経過してから左目用シャッターを開くことになる。
【００７８】
つまり、右目用シャッターを閉じてから立ち上がり時間ｔ1が経過するまで、立体映像視聴用メガネ２００の左右のシャッターが閉じていることになる。
【００７９】
＜表示装置３００に出力する映像信号の振幅調整処理について＞
Ｓ４３において、信号処理部１３０が施す各種処理のうち、振幅調整処理について図５〜図９を参照しつつ、以下に説明する。
【００８０】
図５の（ａ）（ｂ）および図６の（ａ）（ｂ）は、それぞれ、映像入力信号の振幅と、映像出力信号の振幅と、の関係を示したものである。
【００８１】
前述したように、本実施形態では、右目用シャッターを閉じてから立ち上がり時間ｔ1
が経過するまで、立体映像視聴用メガネ２００の左右のシャッターが閉じていることになる。
【００８２】
これにより、右目用画像および左目用画像のクロストークの影響を抑えることができるが、立ち上がり時間ｔ1が経過するまで左目用シャッターが開かない分、左目用シャッターから見える左目用画像の明るさが落ちてしまうという問題がある。
【００８３】
そのため、本実施形態では、Ｓ４３において、信号処理部１３０は、映像入力信号に対して図５（ｂ）のような振幅調整処理を行う。すなわち、図５（ｂ）からわかるように、映像入力信号の振幅が一定値以下である場合には、映像入力信号に振幅をα（＞１）倍し、一定値以上である場合には、α未満の値を映像入力信号に乗じて映像出力信号の振幅とする。シャッターの開いている時間と、単位時間あたりの光量と、が一定になるように、αの値は、例えば、Ｔ1／Ｔ2（Ｔ1：マーカー信号に歪みがない場合の左目用シャッターの開時間、Ｔ2：マーカー信号に歪みがある場合の左目用シャッターの開時間、すなわちＴ1−Ｔ2＝ｔ1である）とすることが望ましい。
【００８４】
図５（ｂ）のグラフで表わされる振幅調整処理は、映像入力信号に大振幅（輝度が大きい信号）が少なく、中振幅（輝度が中程度の信号）や小振幅（輝度が小さい信号）が多い場合に適している。他の場合には、異なるグラフの特性で表わされる振幅調整処理を施してもよい。
【００８５】
例えば、映像入力信号に占める中振幅の割合が小振幅や大振幅よりも多い場合には、図６（ａ）に示すように、映像入力信号の中振幅の範囲をβ倍（β≒γ＝Ｔ1／Ｔ2＞１）し、小振幅ではγよりもずっと大きい値を乗じて、映像出力信号の振幅としてもよい。このようにすることにより、中振幅での線形性を確保しつつ、小振幅部の視認性を高めることができる。
【００８６】
さらに、映像入力信号に小振幅、中振幅、大振幅が同程度に分布する場合、図６（ｂ）に示すような特性で表わされる振幅調整処理を施してもよい。図６（ｂ）のような特性にすることにより、映像出力信号の線形性は多少失われるものの、を他の特性のグラフで表わされる振幅調整処理と比べて、映像出力信号の輝度をより向上させることができる。
【００８７】
なお、振幅調整処理の特性を表すグラフは、図５（ｂ）、図６（ａ）（ｂ）のグラフに限定されないことは言うまでもない。すなわち、振幅調整処理は、映像出力信号により表わされる映像の明るさ値と、振幅調整処理を行わない場合における映像出力信号により表わされる映像の明るさ値と、の差が一定の範囲内になり、かつ、映像入力信号がとり得る振幅の最大値を映像出力信号の振幅の最大値が超えないようなものであれば、いかなるものでもかまわない。
【００８８】
（振幅調整処理の実行条件）
次に、信号処理部１３０が映像入力信号に対して振幅調整処理を行う条件について、図７〜図９を参照しつつ以下に説明する。図７および図８は、それぞれ、振幅調整処理を行うか否かを判定する動作の例を示したフローチャートである。
【００８９】
図７に示すように、振幅調整処理を実行するか否かは、例えば、映像入力信号が表わす映像中にレベル時間変化量がレベル変化量規定値よりも大きい画素が存在するか否かに基づいて判定される。ここで、画素の「レベル時間変化量」とは、単位時間（例えば、１フレーム）あたりの当該画素の輝度値の変化量のことを指す。また、レベル変化量規定値とは、レベル時間変化量についての所定の閾値のことを指す。
【００９０】
以下、図７を用いて、振幅調整処理を行うか否かを判定する動作について説明する。
【００９１】
最初に、システム制御部１７０は、映像入力信号が表わす映像に含まれる任意の２フレーム（第１の画像、第２の画像）を選択し、映像を構成する各画素のレベル時間変化量を算出する（Ｓ１）。次に、システム制御部１７０は、着目する１つの画素を選定し（Ｓ２）、その画素のレベル時間変化量と、レベル変化量規定値と、の大小を比較する（Ｓ３）。レベル時間変化量がレベル変化量規定値よりも大きい場合には（Ｓ３においてＹＥＳ）、システム制御部１７０は、映像入力信号の振幅調整処理を行うことを決定して（Ｓ７）、処理を終了する。一方、レベル時間変化量がレベル変化量規定値以下である場合には（Ｓ３においてＮＯ）、システム制御部１７０は、Ｓ１においてレベル時間変化量の算出を行ったすべての画素について、Ｓ３の処理を行ったか否かを判定する（Ｓ４）。すべての画素について、Ｓ３の処理を行っていないと判定された場合（Ｓ４においてＮＯ）、システム制御部１７０は、まだＳ２またはＳ５において選定されていない画素を１つ選定し（Ｓ５）、Ｓ３の処理に戻る。
【００９２】
一方、すべての画素について、Ｓ３の処理を行ったと判定された場合（Ｓ４においてＹＥＳ）、システム制御部１７０は、映像入力信号の振幅調整処理を行わないことを決定して（Ｓ６）、処理を終了する。
【００９３】
以上のように、本実施形態では、立体映像表示制御装置１００は、信号処理部１３０が映像入力信号の振幅調整処理を行うか否か決定するが、レベル時間変化量がレベル量規定値より大きい画素が複数存在する場合に限り、映像入力信号の振幅調整処理を行うと決定するようにしてもよい。
【００９４】
この場合、図８に示すように、最初に、システム制御部１７０は、映像入力信号が表わす映像に含まれる任意の２フレームについて、各画素のレベル時間変化量を算出する（Ｓ１１）。次に、システム制御部１７０は、着目する１つの画素を選定し（Ｓ１２）、レベル時間変化量がレベル量規定値より大きい画素の数を格納するための変数Ｎの値を０に初期化する（Ｓ１３）。
【００９５】
そして、システム制御部１７０は、Ｓ１２において選定した画素のレベル時間変化量と、レベル変化量規定値と、の大小を比較する（Ｓ１４）。レベル時間変化量がレベル変化量規定値よりも大きい場合には（Ｓ１４においてＹＥＳ）、システム制御部１７０は、Ｎの値をインクリメントし（Ｓ１５）、Ｓ１６に進む。一方、レベル時間変化量がレベル変化量規定値よりも大きい場合には（Ｓ１４においてＹＥＳ）、Ｎの値は変えずに、Ｓ１６に進む。
【００９６】
Ｓ１６において、システム制御部１７０は、Ｓ１１においてレベル時間変化量の算出を行ったすべての画素について、Ｓ１４の処理を行ったか否かを判定する（Ｓ１６）。すべての画素について、Ｓ１４の処理を行っていないと判定された場合（Ｓ１６においてＮＯ）、システム制御部１７０は、まだＳ１２またはＳ１７において選定されていない画素を１つ選定し（Ｓ１７）、Ｓ１４の処理に戻る。
【００９７】
一方、すべての画素について、Ｓ１４の処理を行ったと判定された場合（Ｓ１６においてＹＥＳ）、システム制御部１７０は、Ｎの値が所定の規定値より大きいか否かを判定する（Ｓ１８）。所定の規定値より大きいと判定された場合（Ｓ１８においてＹＥＳ）、システム制御部１７０は、映像入力信号の振幅調整処理を行うことを決定して（Ｓ２０）、処理を終了する。一方、所定の規定値以下であると判定された場合（Ｓ１８においてＹＥＳ）、システム制御部１７０は、映像入力信号の振幅調整処理を行わないことを決定して（Ｓ１９）、処理を終了する。
【００９８】
なお、上記振幅調整処理を行うか否かの判定処理は、映像入力信号を受け付けてリアルタイムに映像出力信号を出力する際に行われてもよいが、次にようにしてもよい。すなわち、システム制御部１７０は、映像コンテンツごとに、予め判定を行って、その結果を制御用メモリ部１６０に記録しておき、実際に、その映像コンテンツの映像出力信号を出力する際に振幅調整処理を行うか否かを、制御用メモリ部１６０に記録された判定結果に基づいて、決定してもよい。
【００９９】
立体映像表示制御装置１００が予め判定処理を行うタイミングは、映像コンテンツが記録されたディスクが再生装置に装填されたことを立体映像表示制御装置１００が検知したタイミングであってもよいし、映像コンテンツが記録されたディスクが再生装置において再生され、その映像コンテンツの映像入力信号が初めて立体映像表示制御装置１００に入力されたタイミングであってもよい。そして、このようにするためには、例えば、システム制御部１７０が、選定したフレームの再生時間を示す時間情報と、当該フレームの映像出力信号を表示装置３００に出力する際に振幅調整処理を行うか否かを示す情報と、表示装置３００を示す情報と、を映像コンテンツごとに関連付けて判定結果として制御用メモリ部１６０に記録するようにすればよい。
【０１００】
ここで、表示装置３００を示す情報を記録しておく意図は、判定結果のデータが制御用メモリ部１６０に記録された時点の表示装置３００と、振幅調整処理を行うか否かを決定する時点の表示装置３００と、が同一であることを確認することにある。同一であることを確認する理由は、振幅調整処理の判定処理を行う時点（すなわち、左目用シャッターを開けさせるシャッター制御信号を立体映像視聴用メガネ２００に供給するタイミングを遅らせる時点）が、パルスの立ち上がり時間や立ち下がり時間に依存しており、これらは表示装置３００の応答速度に依存するためである。すなわち、判定結果も表示装置３００の応答速度に依存することになり、振幅調整処理を行うか否かを決定する時点の表示装置３００が、制御用メモリ部１６０に判定結果が記録された時点の表示装置３００と異なる場合、その判定結果に基づいて振幅調整処理を行うか否かを決定することができないことになる。
【０１０１】
なお、図７および図８のフローチャートで表わされる判定処理は、フレームに含まれるすべての画素を対象として、レベル時間変化量がレベル変化量規定値よりも大きい画素が存在するか否かを判定することを前提とするものであるが、判定処理はこれに限定されない。すなわち、レベル時間変化量がレベル変化量規定値よりも大きい画素が存在するか否かを判定するための対象となる画素を、フレームに含まれる一部の画素に限定するようにしてもよい。
【０１０２】
以下、レベル時間変化量とレベル変化量規定値との比較を行う画素を、フレームに含まれる一部の画素に限定した場合の判定処理について、図９を参照しつつ以下に説明する。
【０１０３】
図９は、２フレーム間で輝度が上昇する画素および下降する画素のいずれか一方の画素のみを対象として比較を行う場合の判定処理を示したフローチャートである。
【０１０４】
図９に示すように、システム制御部１７０は、最初に、制御用メモリ部１６０に記録されているマーカー信号を表わすマーカーデータを参照し、立ち上がり時間、および立ち下がり時間をそれぞれ算出する（Ｓ３１）。
【０１０５】
次に、システム制御部１７０は、立ち上がり時間と立ち下がり時間との大小を判定する（Ｓ３２）。立ち上がり時間が立ち下がり時間より短いと判定された場合（すなわち、立ち上がりの応答速度が立ち下がりの応答速度よりも速い場合、Ｓ３２においてＹＥＳ）、システム制御部１７０は、フレームに含まれる画素のうち、２フレーム間で輝度が下降する画素（立ち下がり部分）を、レベル時間変化量とレベル変化量規定値との比較を行う画素（評価箇所）として選定し（Ｓ３３）、Ｓ３５に進む。
【０１０６】
一方、立ち下がり時間が立ち上がり時間より短いと判定された場合（すなわち、立ち上がりの応答速度が立ち下がりの応答速度よりも遅い場合、Ｓ３２においてＮＯ）、システム制御部１７０は、フレームに含まれる画素のうち、２フレーム間で輝度が上昇する画素（立ち上がり部分）を、レベル時間変化量とレベル変化量規定値との比較を行う画素（評価箇所）として選定し（Ｓ３４）、Ｓ３５に進む。
【０１０７】
Ｓ３５において、システム制御部１７０は、Ｓ３３またはＳ３４において選定された画素の各々について、レベル時間変化量とレベル変化量規定値との大小の比較を行い、レベル時間変化量がレベル変化量規定値より大きい画素が存在するか否か、または、そのような画素が規定値以上存在するか否かに基づいて、振幅調整処理を行うか否かを判定する。
【０１０８】
（立体映像表示制御装置１００の利点）
以上のように、立体映像表示制御装置１００では、映像出力部１５０が表示装置３００にマーカーを出力する。そして、表示装置３００に表示されたマーカーからの光を光センサ１９０が検出する。そして、立体映像表示制御装置１００のマーカー信号検出部１４０は、光センサ１９０が出力するパルス信号を検出し、システム制御部１７０が、パルス信号の立ち上がり時間ｔ1または立ち上がり時間ｔ2が所定の閾値Ｔ以上であるか否であるかを判定する。
【０１０９】
そして、立体映像表示制御装置１００のシャッター制御信号生成部１８０は、立体映像視聴用メガネ２００の右目用シャッターを閉じて左目用シャッターを開くタイミングを、左目用映像が表示装置３００に表示されるタイミングに同期させる。この際、シャッター制御信号生成部１８０は、システム制御部１７０により所定の閾値Ｔ以上であると判定されていた場合には、Ｔ未満であると判定されていた場合よりも、左目用シャッターを開くタイミングを遅くする。
【０１１０】
すなわち、立ち上がり時間ｔ1が所定の閾値Ｔ以上である場合（すなわち、表示装置３００の応答速度が遅く、左目用映像が表示され始めてから完全に表示されるまでの時間が長い場合）、完全に表示されるまで、立体映像視聴用メガネ２００の左右のシャッターが閉じることになる。従って、立体映像表示制御装置１００は、左目用映像が不完全に表示されているときに（すなわち、左目用映像および右目用映像のクロストークが発生している瞬間に）表示装置３００の映像をユーザーが見ないようにすることができる。
【０１１１】
また、立体映像表示制御装置１００は、左目用シャッターを開くタイミングを遅くすることにより生じる明るさ不足を、振幅調整処理を用いて単位時間あたりの光量を増やして補うことにより、より違和感のない立体映像をユーザーに見せることができる。
【０１１２】
（変形例１）
以上の実施形態では、左目用シャッターを開くタイミングを遅くすることにより生じる明るさ不足を補うために信号処理部１３０が振幅調整処理を行うことを説明した。
【０１１３】
しかしながら、本発明では、明るさ不足を補うために必ずしも信号処理部１３０が振幅調整処理を行う必要はなく、他の方法を用いて明るさ不足を補ってもよい。
【０１１４】
以下では、他の種々の方法を用いて明るさ不足を補う立体映像表示制御装置を、それぞれ、立体映像表示制御装置１００の変形例として説明する。
【０１１５】
立体映像表示制御装置１００の変形例である立体映像表示制御装置１００’について、図１０を参照しつつ、以下に説明する。
【０１１６】
図１０は、立体映像表示制御装置１００’、光センサ１９０、発光素子１９５、立体映像視聴用メガネ２００、表示装置３００’からなる立体映像表示システムの要部構成を示すブロック図である。
【０１１７】
以下、図１０を参照しつつ、立体映像表示システムの構成について説明するが、立体映像表示制御装置１００’は、信号処理部１３０’およびシステム制御部１７０’を除き、立体映像表示制御装置１００と同様の動作を行う。従って、以下では信号処理部１３０’およびシステム制御部１７０’についてのみ説明を行い、他の部材についてはその説明を省略することにする。
【０１１８】
＜立体映像表示制御装置１００’の構成＞
図１０に示すように、立体映像表示制御装置１００’は、映像入力部１１０〜シャッター制御信号生成部１８０を備えているが、信号処理部１３０’、システム制御部１７０’が行う動作の一部が、立体映像表示制御装置１００の信号処理部１３０、システム制御部１７０が行う動作と異なっている。
【０１１９】
（信号処理部１３０’）
信号処理部１３０’は、信号処理部１３０と同様の動作を行うが、映像メモリ部１２０に書き込んだ映像データに対して振幅調整処理を行わない。代わりに、信号処理部１３０’が振幅調整処理を行う条件と同条件のもとで、発光素子１９５を光らせる発光制御信号を発光素子１９５に供給する。
【０１２０】
（システム制御部１７０’）
システム制御部１７０’は、信号処理部１３０’に発光制御信号を供給させるか否かを判定する判定処理を行う。この判定処理は、立体映像表示制御装置１００においてシステム制御部１７０が行う振幅調整処理を行うか否かの判定処理と同様のものである。
【０１２１】
＜表示装置３００’＞
表示装置３００’は、周囲の明るさを検知する受光部３１０を備えており、受光部３１０が検知した明るさが大きいと表示装置３００の表示画面の輝度を明るくし、明るさが小さいと表示画面の輝度を暗くする、自動輝度調整機能を備えている。
【０１２２】
＜発光素子１９５＞
発光素子１９５は表示装置３００’の受光部３１０に近接して設定されており、発光素子１９５が発する光を受光部３１０が検知するようになっている。なお、発光素子１９５は、ＬＥＤなど発光機能をもつものであればいかなるものでも構わない。
【０１２３】
（立体映像表示制御装置１００’の利点）
立体映像表示制御装置１００’では、立ち上がり時間ｔ1が所定の閾値Ｔ以上であると判定された場合に、システム制御部１７０’が、信号処理部１３０’に発光制御信号を供給させる。
【０１２４】
これにより、信号処理部１３０’からの発光制御信号を受信した発光素子１９５は発光し、表示装置３００’は、受光部３１０が発光素子１９５からの光を感知すると、表示装置３００’に表示される表示画面の輝度を上昇させる。
【０１２５】
従って、立体映像表示制御装置１００’は、立体映像表示制御装置１００と異なり、自身で輝度を上昇させる画像処理を行う必要がないので、違和感のない立体映像を少ない処理負荷でユーザーに見せることができる。
【０１２６】
（変形例２）
また、立体映像表示制御装置１００’は、信号処理部１３０’が発光制御信号を発光素子１９５に供給する代わりに、映像出力部１５０が発光輝度調整用のコマンドを表示装置３００に送信することにより、表示装置３００に表示されている表示画面の輝度を上昇させるようにしてもよい。発光輝度調整用のコマンドを送信するか否かの判定条件は、変形例１における発光制御信号を送信するか否かの判定条件と同じであり、判定処理は、変形例１と同様にシステム制御部１７０’が行う。
【０１２７】
このようなコマンドとしては、例えば、機器間制御（ＣＥＣ）のVendor Specific Commandsで規定されているコマンドが考えられる。なお、この場合、立体映像表示制御装置１００’、および表示装置３００がＨＤＭＩ１．２ａ以降でサポートされるＨＤＭＩ接続が可能である必要がある。
【０１２８】
変形例２の立体映像表示制御装置１００’も、変形例１の立体映像表示制御装置１００’と同様に、自身で輝度を上昇させる画像処理を行う必要がないので、違和感のない立体映像を少ない処理負荷でユーザーに見せることができる。
【０１２９】
（変形例３）
さらに、立体映像表示制御装置１００’は、映像出力部１５０が発光輝度調整用のコマンドを表示装置３００に送信する代わりに、映像出力部１５０がジャンル情報を指定するコマンドを表示装置３００に送信することにより、表示装置３００に表示されている表示画面の輝度を上昇させるようにしてもよい。
【０１３０】
具体的には、立体映像表示制御装置１００’が、ジャンルが「映画」の映像コンテンツの映像出力信号を表示装置３００に出力している場合に、「映画」以外のジャンル情報（ドラマ、音楽等）を指定するコマンドを表示装置３００に送信することにより、表示装置３００に表示されている表示画面の輝度を上昇させるようにしてもよい。ここで、「映画」以外のジャンル情報を示すコマンドを送信することにより表示画面の輝度が上昇する理由は、一般に「映画」のジャンルが指定された場合には、他のジャンルが指定された場合に比べて輝度を低くするように、表示装置３００内で設定されているからである。
【０１３１】
従って、表示装置３００がジャンルに応じた輝度調整を行う機能を備えており、かつ、輝度調整を最も低く設定するようなジャンルの映像コンテンツを表示装置３００に出力している場合には、そのジャンルが「映画」でなくても、該ジャンル以外の他のジャンル情報を指定するコマンドを表示装置３００に送信することにより、表示装置３００に表示されている表示画面の輝度を上昇させることができる。
【０１３２】
なお、ジャンル情報を指定するコマンドとしては、変形例２と同様に、機器間制御（ＣＥＣ）のVendor Specific Commandsで規定されているコマンドを用いてもよい。この場合、立体映像表示制御装置１００’、および表示装置３００がＨＤＭＩ１．２ａ以降でサポートされるＨＤＭＩ接続が可能である必要がある。
【０１３３】
そして、変形例３の立体映像表示制御装置１００’も、変形例１、２の立体映像表示制御装置１００’と同様に、自身で輝度を上昇させる画像処理を行う必要がないので、違和感のない立体映像を少ない処理負荷でユーザーに見せることができる。
【０１３４】
（付記事項）
実施形態では、映像コンテンツが記録されたディスクが再生装置において再生され、その映像コンテンツの映像入力信号が初めて立体映像表示制御装置１００に入力されたタイミングで判定処理を行い、判定結果を制御用メモリ部１６０に記録することを説明した。映像コンテンツの映像入力信号が初めて立体映像表示制御装置１００に入力されたか否か（新規のコンテンツであるか否か）は、映像コンテンツに含まれているメタ情報（タイトル情報を含むコンテンツ関連情報）に基づいて判定することが望ましいが、映像入力信号が入力される際に、新規の映像コンテンツか否かをユーザーに問い合わせ、ユーザーから新規の映像コンテンツであるとの入力を受け付けた場合に新規の映像コンテンツであると判定するようにしてもよい。また、映像コンテンツが放送番組を録画することにより得られた放送コンテンツである場合、電子番組表（ＥＰＧ）から入手可能な放送コンテンツに関する映像コンテンツ関連情報であってもよいし、ネットワークを介して入手可能な映像コンテンツ関連情報であってもよい。
【０１３５】
また、新規の映像コンテンツの映像出力信号を出力したときと、当該映像コンテンツを２度目以降に出力するときとで、出力先の表示装置３００が同一であるか否かの判定については、表示装置３００と立体映像表示制御装置１００とがＨＤＭＩ接続をサポートする場合には、ＥＤＩＤ（Extended Display Identification Data）を基に接続先の機器を識別することにより判定が可能である。すなわち、映像出力部１５０が新規の映像コンテンツの映像出力信号を出力する際に、システム制御部１７０が接続先の表示装置３００を示す情報（映像ディスプレイ情報）としてＥＤＩＤを記録しておくことにより、同一の映像コンテンツを２度目以降に出力するときにシステム制御部１７０がＥＤＩＤを参照すれば、出力先が同一であるか否かを判定することができる。
【０１３６】
あるいは、ＥＤＩＤを用いて出力先が同一であるか否かを判定するのではなく、映像出力部１５０が新規の映像コンテンツを表示装置３００に出力する際に、システム制御部１７０が、ユーザーに表示装置３００の機器情報を問い合わせ、ユーザーにより入力された機器情報を制御用メモリ部１６０に記録するようにしてもよい。そして、同一の映像コンテンツを２度目以降に出力するときにも、システム制御部１７０が、ユーザーに表示装置３００の機器情報を問い合わせ、ユーザーにより入力された機器情報と制御用メモリ部１６０に記録されている機器情報とが同一であるか否かを判定することにより、出力先が同一であるか否かを判定してもよい。あるいは、映像コンテンツを出力するたびにユーザーに出力先の表示装置３００を変更したか否かを問い合わせ、ユーザーから出力先を変更したとの入力を受け付けたときにその時刻等の変更履歴情報を制御用メモリ部１６０に記録しておき、変更履歴情報に基づいて出力先が同一であるか否かを判定してもよい。
【０１３７】
また、変形例２や変形例３の表示装置３００の発光輝度調整は、入力された映像信号を調整することによって行ってもよいし、表示装置３００が液晶ディスプレイなどバックライトを備えている場合には、バックライトの発光量を調整することによって行ってもよい。
【０１３８】
また、変形例３のジャンル情報は、映像コンテンツが放送波から取得された放送コンテンツである場合には、ＡＲＩＢ規格で規定されたＳＩ（番組配列情報）のＥＩＴ（イベント情報テーブル）に含まれているジャンル情報（例えば、映画は０ｘ６、ドラマは０ｘ０、ニュース・報道は０ｘ０となっている）であってもよいし、電子番組表やメタデータ情報などであってもよい。また、各種データから自動的にジャンル情報を取得するのではなく、ユーザーからジャンル情報の入力を受けてもよい。
【０１３９】
なお、図１や図１０では、斜線のマーカーが表示される箇所が表示装置３００、３００’の表示画面の左上となっているが、マーカーが表示される箇所は表示画面中のどの位置であってもかまわない。例えば、表示画面の上部または下部の数ライン、左端や右端の数画素をマーカーが表示される箇所としてもよい。
【０１４０】
また、立体映像表示制御装置１００、１００’は、左目用映像や右目用映像を表示装置３００、３００’に出力する前にスキャン動作を予め行うようにしてもよい。このスキャン動作は、表示装置３００、３００’に表示するマーカーの位置を表示画面全体に渡って少しずつ移動させつつ、移動のたびに光センサ１９０が感知する明るさの値を検出し、検出した明るさの値が最大になるようなマーカーの位置をマーカーの表示位置として決定する動作である。これにより、立体映像表示制御装置１００、１００’は、光センサ１９０とマーカーの表示位置との位置関係を最適化でき、マーカーが発する光を光センサ１９０が感知できないといったことを防ぐことができる。
【０１４１】
さらに、立体映像表示制御装置１００、１００’は、マーカー信号検出部１４０が検出した明るさの値をシステム制御部１７０、１７０’が表示装置３００、３００’にリアルタイムに表示するようになっていてもよい。これにより、ユーザーは、光センサ１９０をどの位置に設置すれば、マーカーの位置と光センサ１９０の位置との位置関係が最適化されるかを容易に把握することができる。
【０１４２】
また、実施形態では、立体映像表示制御装置１００は、表示装置３００に出力する映像を右目用映像から左目用映像に切り替えたときに、マーカーを表示装置３００に表示するものとして説明したが、左目用映像が表示されている間、継続してマーカーを表示装置３００に表示してもよい。また、左目用映像から右目用映像に切り替えたときに、マーカーを表示装置３００に表示するようにしてもよい。さらには、立体映像表示制御装置１００は、左目用映像や右目用映像を表示する前の段階で、マーカーのみを表示装置３００に表示するようにしてもよい。そして、立体映像表示制御装置１００は、この段階で表示されたマーカーに基づいて生成されるパルス波形から、左目用シャッターを開かせるシャッター制御信号をシャッター制御信号生成部１８０が立体映像視聴用メガネ２００に供給するタイミングをどのくらい遅らせるかを決定してもよい。
【０１４３】
また、変形例１において、光センサ１９０と発光素子１９５とは一体の構造物となっていても構わないし、光センサ１９０や発光素子１９５は、立体映像表示制御装置１００、１００’に含まれていても、立体映像表示制御装置１００、１００’とは別の外部のセンサや素子であってもよい。
【０１４４】
また、振幅調整処理を行うか否かを判定する動作において、レベル時間変化量を算出し、レベル時間変化量と、レベル変化量規定値と、の大小を比較する代わりに、２フレーム間の画素値を算出し、画素値の差と、所定の閾値（第２の閾値）と、の大小を比較するようにしてもよい。
【０１４５】
さらに、立体映像表示制御装置１００、１００’や光センサ１９０と発光素子１９５に加え、立体映像視聴用メガネ２００や表示装置３００、３００‘を含めた立体映像表示制御システムを本発明の範疇に含まれる。
【０１４６】
（プログラムおよび記録媒体）
最後に、立体映像表示制御装置１００、１００’に含まれている各ブロックは、ハードウェアロジックによって構成すればよい。また、立体映像表示制御装置１００は、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１４７】
すなわち、立体映像表示制御装置１００、１００’は、各機能を実現する制御プログラムのプログラムコード（実行形式プログラム、中間コードプログラム、ソースプログラム）をコンピュータで読み取り可能に記録していればよい。立体映像表示制御装置１００、１００’（またはＣＰＵやＭＰＵ）が、供給された記録媒体に記録されているプログラムコードを読み出し、実行すればよい。
【０１４８】
プログラムコードを立体映像表示制御装置１００、１００’に供給する記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４９】
また、立体映像表示制御装置１００、１００’は、通信ネットワークと接続可能に構成しても、本発明の目的を達成できる。この場合、上記のプログラムコードを、通信ネットワークを介して立体映像表示制御装置１００、１００’に供給する。この通信ネットワークは、立体映像表示制御装置１００、１００’にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、移動体通信網、衛星通信網等であればよい。
【０１５０】
この通信ネットワークを構成する伝送媒体も、プログラムコードを伝送可能な任意の媒体であればよく、特定の構成または種類のものに限定されない。たとえば、ＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線などの有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１５２】
本発明に係る立体映像表示制御装置は、３Ｄ非対応の古いテレビで立体映像を楽しむことを所望するユーザーをターゲットとして販売を見込むことができる。
【符号の説明】
【０１５３】
１００、１００’  立体映像表示制御装置
１１０            映像入力部（映像入力手段）
１２０            映像メモリ部（記憶部）
１３０            信号処理部（画像記録手段）
１４０            マーカー信号検出部（パルス信号検出手段）
１５０            映像出力部（マーカー出力手段、映像出力手段）
１６０            制御用メモリ部（記録媒体、記憶部）
１７０            システム制御部（判定手段、パルス信号判定手段、出力映像判定手段、発光制御手段）
１８０            シャッター制御信号生成部（シャッター制御手段）
１９０            光センサ（受光部）
１９５            発光素子（発光部）
２００            立体映像視聴用メガネ（３Ｄグラス）
３００、３００’  表示装置
３１０            受光部
【図１】
2011250075.tif 000003
【図２】
2011250075.tif 000004
【図３】
2011250075.tif 000005
【図４】
2011250075.tif 000006
【図５】
2011250075.tif 000007
【図６】
2011250075.tif 000008
【図７】
2011250075.tif 000009
【図８】
2011250075.tif 000010
【図９】
2011250075.tif 000011
【図１０】
2011250075.tif 000012
【図１１】
2011250075.tif 000013